(57)【要約】【課題】スクリーンセーバ用の画像データを不要としつつスクリーンセーバ機能を実現し、スクリーンセーバ用の画像データに使用されていたメモリ領域を別用途に使用したり、メモリを節約したりすることができるデジタル放送受信装置を提供する。【解決手段】ＤＴＶモジュール５は、デジタル放送信号から取り出されたトランスポートストリームから映像データおよびクローズドキャプションデータを分離しそれぞれをデコードし、デコードされた映像データおよびクローズドキャプションデータに基づきアナログ映像信号を生成しＤＶＤブロック６を介して外部のテレビジョンへ出力し、テレビジョンに同一画面が所定時間表示された場合は、ＤＴＶモジュール５は、ＤＶＤブロック６からのスクリーンセーバ起動要求を受け、所定のクローズドキャプションデータをデコードしデコードされた所定のクローズドキャプションデータに基づきスクリーンセーバ用のアナログ映像信号を生成しＤＶＤブロック６を介して外部のテレビジョンへ出力する。【選択図】図１
2008278114.tif 000002
【特許請求の範囲】
【請求項１】
デジタル放送信号からトランスポートストリームを取り出して出力するトランスポートストリーム出力部と、前記出力されたトランスポートストリームから映像データおよびクローズドキャプションデータを分離し該分離された映像データおよびクローズドキャプションデータをデコードし該デコードされた映像データおよびクローズドキャプションデータに基づき映像信号を生成し該生成された映像信号を出力する映像信号出力部と、を備え、
前記映像信号出力部は、前記映像信号出力部に予め記憶された所定のクローズドキャプションデータをデコードし該デコードされた所定のクローズドキャプションデータに基づきスクリーンセーバ用の映像信号を生成し該生成された映像信号を出力することを特徴とするデジタル放送受信装置。
【請求項２】
前記映像信号出力部は、前記デコードされた映像データおよびクローズドキャプションデータおよび文字表示の際の表示色に関する設定データに基づき前記映像信号を生成し、
前記映像信号出力部は、前記デコードされた所定のクローズドキャプションデータおよび前記設定データに基づき前記スクリーンセーバ用の映像信号を生成することを特徴とする請求項１に記載のデジタル放送受信装置。
【請求項３】
前記文字表示の際の表示色に関する設定データは、表示文字自体の色を表すデータおよび表示文字の背景色を表すデータから構成され、前記映像信号出力部は、前記表示文字の背景色を表すデータが表す色である画面全体上を、前記表示文字自体の色を表すデータが表す色の文字がスクロールするような映像表示のためのスクリーンセーバ用の映像信号を生成することを特徴とする請求項２に記載のデジタル放送受信装置。
【請求項４】
前記文字表示の際の表示色に関する設定データは、操作手段における操作に応じて設定されることを特徴とする請求項２または請求項３に記載のデジタル放送受信装置。
【発明の詳細な説明】
【技術分野】
【０００１】
本発明は、デジタル放送受信装置に関する。
【背景技術】
【０００２】
昨今、デジタル放送受信に対応したＤＶＤレコーダが普及しており、このようなＤＶＤレコーダにはスクリーンセーバ機能を有するものも登場している。このようなスクリーンセーバ機能を有するＤＶＤレコーダは、ＤＶＤレコーダに接続されたテレビジョンに同一画面が所定時間表示された場合にスクリーンセーバ用の映像信号をテレビジョンに出力し、テレビジョンの画面焼き付きを防止する。
【特許文献１】特開２００５−２７１１２号公報
【発明の開示】
【発明が解決しようとする課題】
【０００３】
しかし、上記従来のスクリーンセーバ機能を有するＤＶＤレコーダでは、スクリーンセーバ用の画像データを予めメモリに格納しておく必要があり、メモリが大きく消費されてしまうといった問題点があった。
【０００４】
なお、特許文献１には、接続された外部機器であるＶＣＲの再生中にＶＣＲ用のリモコンにおいてポーズキーまたはストップキーが押されると、そのポーズキー信号またはストップキー信号を受信し、それから一定時間リモコンにおいてプレイキーが操作されることがないと、ＣＲＴ表示部にスクリーンセーバ用の画像を表示させるようなテレビジョンが開示されているが、本テレビジョンでも予めメモリにスクリーンセーバ用の画像データを格納しておく必要がある。
【０００５】
上記問題点を鑑み、本発明は、スクリーンセーバ用の画像データを不要としつつスクリーンセーバ機能を実現し、スクリーンセーバ用の画像データに使用されていたメモリ領域を別用途に使用したり、メモリを節約したりすることができるデジタル放送受信装置を提供することを目的とする。
【課題を解決するための手段】
【０００６】
上記目的を達成するために本発明のデジタル放送受信装置は、デジタル放送信号からトランスポートストリームを取り出して出力するトランスポートストリーム出力部と、前記出力されたトランスポートストリームから映像データおよびクローズドキャプションデータを分離し該分離された映像データおよびクローズドキャプションデータをデコードし該デコードされた映像データおよびクローズドキャプションデータに基づき映像信号を生成し該生成された映像信号を出力する映像信号出力部と、を備え、
前記映像信号出力部は、前記映像信号出力部に予め記憶された所定のクローズドキャプションデータをデコードし該デコードされた所定のクローズドキャプションデータに基づきスクリーンセーバ用の映像信号を生成し該生成された映像信号を出力することを特徴としている。
【０００７】
このような構成によれば、スクリーンセーバ用の画像データを不要としつつスクリーンセーバ機能を実現し、スクリーンセーバ用の画像データに使用されていたメモリ領域を別用途に使用したり、メモリを節約したりすることができる。
【０００８】
また、本発明のデジタル放送受信装置は、上記構成において、前記映像信号出力部は、前記デコードされた映像データおよびクローズドキャプションデータおよび文字表示の際の表示色に関する設定データに基づき前記映像信号を生成し、
前記映像信号出力部は、前記デコードされた所定のクローズドキャプションデータおよび前記設定データに基づき前記スクリーンセーバ用の映像信号を生成するような構成とすることが望ましい。
【０００９】
このような構成によれば、放送映像における文字表示のための表示色に関する設定データを流用してスクリーンセーバ用の映像信号を生成するので、スクリーンセーバ用の映像信号を生成するための別の表示色データが不要となる。
【００１０】
また、本発明のデジタル放送受信装置は、例えば上記構成において、前記文字表示の際の表示色に関する設定データは、表示文字自体の色を表すデータおよび表示文字の背景色を表すデータから構成され、前記映像信号出力部は、前記表示文字の背景色を表すデータが表す色である画面全体上を、前記表示文字自体の色を表すデータが表す色の文字がスクロールするような映像表示のためのスクリーンセーバ用の映像信号を生成するような構成にするとよい。
【００１１】
また、本発明のデジタル放送受信装置は、上記構成において、前記文字表示の際の表示色に関する設定データは、操作手段における操作に応じて設定されるような構成にするとよい。これにより、ユーザが所望する色でスクリーンセーバ画面を表示させることができる。
【発明の効果】
【００１２】
本発明のデジタル放送受信装置によれば、スクリーンセーバ用の画像データを不要としつつスクリーンセーバ機能を実現し、スクリーンセーバ用の画像データに使用されていたメモリ領域を別用途に使用したり、メモリを節約したりすることができる。
【発明を実施するための最良の形態】
【００１３】
以下、本発明の実施形態について図面を参照して説明する。
【００１４】
図１に、本発明に係るＤＶＤレコーダの概略構成図を示す。本図に示すように本発明に係るＤＶＤレコーダは、チューナ２と、デジタル復調部３と、エラー訂正部４と、ＤＴＶ（Ｄｉｇｉｔａｌ  Ｔｅｌｅｖｉｓｉｏｎ）モジュール５と、ＤＶＤブロック６とを備えている。チューナ２にはアンテナ１が接続され、ＤＶＤブロック６のＤ／Ａ変換部６ｄには不図示のテレビジョンが接続される。
【００１５】
ＤＴＶモジュール５は、データ分離部５ａと、映像デコード部５ｂと、クローズドキャプションデコード部（以下、ＣＣデコード部）５ｃと、アナログ映像信号生成部５ｄと、制御部５ｅと、記憶部５ｆとから構成される。また、ＤＶＤブロック６は、Ａ／Ｄ変換部６ａと、映像圧縮伸長部６ｂと、ＤＶＤ記録再生部６ｃと、Ｄ／Ａ変換部６ｄと、制御部６ｅと、リモコン受信部６ｆとから構成される。
【００１６】
アンテナ１は、デジタル放送の放送電波を受信し放送電波を高周波信号に変換してチューナ２に出力する。チューナ２は、アンテナ１から入力される高周波信号から所望の周波数の高周波信号を抽出し、抽出された高周波信号を周波数変換して中間周波信号を生成し、生成された中間周波信号をデジタル復調部３に出力する。デジタル復調部３は、チューナ２から入力された中間周波信号に対してデジタル復調を行い、トランスポートストリームをエラー訂正部４に出力する。エラー訂正部４は、デジタル復調部３から入力されたトランスポートストリームに対してエラー訂正を行い、エラー訂正されたトランスポートストリームをＤＴＶモジュール５のデータ分離部５ａに出力する。
【００１７】
データ分離部５ａは、エラー訂正部４から入力されるトランスポートストリームから映像データ、クローズドキャプションデータを分離し、分離された映像データを映像デコード部５ｂに出力し、分離されたクローズドキャプションデータをＣＣデコード部５ｃに出力する。映像デコード部５ｂは、データ分離部５ａから入力された映像データをデコードし、デコードされた映像データをアナログ映像信号生成部５ｄに出力する。また、ＣＣデコード部５ｃは、データ分離部５ａから入力されたクローズドキャプションデータをデコードし、デコードされたクローズドキャプションデータをアナログ映像信号生成部５ｄに出力する。そして、アナログ映像信号生成部５ｄは、映像デコード部５ｂから入力された映像データと、ＣＣデコード部５ｃから入力されたクローズドキャプションデータと、記憶部５ｆから制御部５ｅにより読み出された文字表示色設定データとに基づきアナログ映像信号を生成しＤＶＤブロック６に出力する。
【００１８】
ここで、文字表示色設定データは、表示文字自体の色を表すデータおよび表示文字の背景色を表すデータから構成され、工場出荷時に予めＤＴＶモジュール５の記憶部５ｆに初期設定記憶される。また、不図示のリモコンにおける設定メニュー表示操作によりＤＶＤブロック６の制御部６ｅがリモコン受信部６ｆからコード信号を受け、設定メニュー用のＯＳＤ画像を生成し、生成されたＯＳＤ画像をＤ／Ａ変換部６ｄを介して不図示のテレビジョンに出力すると、テレビジョンに表示文字自体の色および表示文字の背景色の設定項目を含んだ設定メニューが表示される。ここで、リモコン操作により上記各設定項目において所望の色が選択され、リモコンの決定操作がされると、記憶部５ｆ上の文字表示色設定データは上記選択された色に応じた文字表示色設定データに更新される。
【００１９】
そして、ＤＶＤブロック６は、ＤＴＶモジュール５のアナログ映像信号生成部５ｄから入力されるアナログ映像信号を不図示のテレビジョンにスルー出力する。これにより、テレビジョンには放送映像が表示される。このとき、テレビジョンには文字表示もされ、この文字表示は、上記文字表示色設定データに応じた色の文字および背景でされることになり、上記のようにリモコン操作により文字表示色設定データが更新された場合は、ユーザが所望する色で文字表示がされる。
【００２０】
図３に、テレビジョンにおける放送映像表示時の画面イメージを示す。例えば、文字表示色設定データを構成する表示文字自体の色を表すデータが赤を表し、文字表示色設定データを構成する表示文字の背景色を表すデータが青を表している場合は、図３に示す「Ｗｈａｔ  ｉｓ  Ｔｈｉｓ  ？」という文字が赤で表示され、図３に示す文字の黒背景が青で表示される。
【００２１】
また、ＤＴＶモジュール５のアナログ映像信号生成部５ｄが生成し出力したアナログ映像信号はＡ／Ｄ変換部６ａに入力され、Ａ／Ｄ変換部６ａが入力されたアナログ映像信号をＡ／Ｄ変換しデジタル映像信号を映像圧縮伸長部６ｂに出力する。映像圧縮伸長部６ｂはＡ／Ｄ変換部６ａから入力されたデジタル映像信号を圧縮し圧縮されたデジタル映像信号をＤＶＤ記録再生部６ｃに出力し、ＤＶＤ記録再生部６ｃが圧縮されたデジタル映像信号をＤＶＤに記録させる。これにより、放送映像がＤＶＤに記録される。
【００２２】
また、ＤＶＤ記録再生部６ｃは、ＤＶＤから圧縮されたデジタル映像信号を再生し、映像圧縮伸長部６ｂが再生された圧縮されたデジタル映像信号を伸長し伸長されたデジタル映像信号をＤ／Ａ変換部６ｄに出力する。Ｄ／Ａ変換部６ｄは映像圧縮伸長部６ｂから入力されたデジタル映像信号をＤ／Ａ変換しアナログ映像信号を不図示のテレビジョンに出力する。これにより、再生映像がテレビジョンに表示される。
【００２３】
次に、本発明に係るＤＶＤレコーダのスクリーンセーバ機能について図２に示すフローチャートを用いて説明する。
【００２４】
ＤＶＤレコーダの停止状態中に所定時間不図示のリモコン等の操作がない場合や、ＤＶＤ再生の一時停止状態が所定時間継続する場合等、不図示のテレビジョンに同一画面が所定時間継続して表示された場合、ＤＶＤブロック６の制御部６ｅはＤＴＶモジュール５の制御部５ｅへスクリーンセーバ起動を要求する（ステップＳ１１）。
【００２５】
そして、ＤＴＶモジュール５の制御部５ｅがＤＶＤブロック６の制御部６ｅからスクリーンセーバ起動要求を受信すると（ステップＳ２１）、ＤＴＶモジュール５の制御部５ｅは、記憶部５ｆに予め記憶された所定のクローズドキャプションデータを読み出してＣＣデコード部５ｃに送信し、ＣＣデコード部５ｃは所定のクローズドキャプションデータをデコードする。そして、アナログ映像信号生成部５ｄは、デコードされた所定のクローズドキャプションデータおよび制御部５ｅが記憶部５ｆから読み出した前述の文字表示色設定データに基づきスクリーンセーバ用のアナログ映像信号を生成してＤＶＤブロック６へ出力する（ステップＳ２２）。
【００２６】
ここでは例えば、文字表示色設定データを構成する表示文字の背景色を表すデータが表す色である画面全体上を、文字表示色設定データを構成する表示文字自体の色を表すデータが表す色の文字がスクロールするような映像表示のためのアナログ映像信号が生成される。このように、放送映像における文字表示のための文字表示色設定データを流用してスクリーンセーバ用のアナログ映像信号を生成するので、スクリーンセーバ用のアナログ映像信号を生成するための別の表示色データが不要となる。
【００２７】
そして、ＤＶＤブロック６は、ＤＴＶモジュール５のアナログ映像信号生成部５ｄから入力されるスクリーンセーバ用のアナログ映像信号を不図示のテレビジョンにスルー出力する（ステップＳ１２）。これにより、テレビジョンにはスクリーンセーバ画面が表示される。
【００２８】
図４に、テレビジョンにおけるスクリーンセーバ画面表示の一例を示す。これは、前述した文字がスクロールするような映像表示のためのアナログ映像信号が生成される場合の画面例である。まず、図４の左上のように、「Ｓｃｒｅｅｎ  Ｓａｖｅｒ」という文字が画面の下方に表示される。このとき、例えば、文字表示色設定データを構成する表示文字自体の色を表すデータが赤を表す場合は、「Ｓｃｒｅｅｎ  Ｓａｖｅｒ」という文字が赤で表示され、文字表示色設定データを構成する表示文字の背景色を表すデータが青を表す場合は、図４に示す画面全体の黒背景が青で表示される。そして、時間経過と共に図４の矢印の順に画面が変化し、「Ｓｃｒｅｅｎ  Ｓａｖｅｒ」という文字が画面上を上方向にスクロールする。前述のようにリモコン操作により文字表示色設定データが更新された場合は、ユーザが所望する色でスクリーンセーバ画面が表示されることになる。
【００２９】
このように本発明に係るＤＶＤレコーダによれば、スクリーンセーバ用の画像データを不要としつつスクリーンセーバ機能を実現し、スクリーンセーバ用の画像データに使用していたメモリ領域を別用途に使用したり、メモリを節約したりすることができる。
【００３０】
なお、上記実施形態では、ＤＶＤレコーダを例として説明したが、本発明はこれに限らず、デジタルテレビ、デジタルチューナ等にも適用可能である。
【図面の簡単な説明】
【００３１】
【図１】は、本発明に係るＤＶＤレコーダの概略構成図である。
【図２】は、本発明に係るＤＶＤレコーダにおけるスクリーンセーバ起動に関するフローチャートである。
【図３】は、テレビジョンにおける放送映像表示時の画面イメージを示す図である。
【図４】は、テレビジョンにおけるスクリーンセーバ画面表示の一例を示す図である。
【符号の説明】
【００３２】
１    アンテナ
２    チューナ
３    デジタル復調部
４    エラー訂正部
５    ＤＴＶモジュール
５ａ    データ分離部
５ｂ    映像デコード部
５ｃ    クローズドキャプションデコード部
５ｄ    アナログ映像信号生成部
５ｅ    制御部
５ｆ    記憶部
６    ＤＶＤブロック
６ａ    Ａ／Ｄ変換部
６ｂ    映像圧縮伸長部
６ｃ    ＤＶＤ記録再生部
６ｄ    Ｄ／Ａ変換部
６ｅ    制御部
６ｆ    リモコン受信部
【図１】
2008278114.tif 000003
【図２】
2008278114.tif 000004
【図３】
2008278114.tif 000005
【図４】
2008278114.tif 000006